(57)【要約】      （修正有）【課題】内燃機関のガス給排気弁の位置調節軸の回転構造空間および軸線方向構造空間を低減する。【解決手段】カムシャフト２が、カムユニット３とカム４、５とを備えており、位置調節軸７の上に回転不能に設けられ、外側輪郭部１０を有する少なくとも１つのレバーアーム９とを備えており、前記少なくとも１つのカム４、５が、少なくとも１つの前記レバーアーム９と、前記カムユニット３とレバーユニット８との間の軸線方向の整向によって、作用結合の状態にされる。第１の作用結合が、第１のカム４と第１のレバーアーム９Ａを作用結合し、第２の作用結合が、第２のカム５と第２のレバーアーム９Ｂを作用結合し、位置調節軸７の旋回によって、第１、第２の作用結合を切換える。【選択図】図１
2015021459.tif 000002
【特許請求の範囲】
【請求項１】
内燃機関のための弁駆動装置の位置調節軸操作装置（１）であって、
この位置調節軸操作装置（１）が、
カムシャフト（２）の上に回転不能に設けられた、少なくとも１つのカムユニット（３）と、
このカムユニット（３）に強固に結合された、少なくとも１つのカム（４、５）とを備えており、その際、前記カムの上に、回転方向に上り勾配の外側輪郭部（６）が形成されており、且つ、
位置調節軸（７）の上に回転不能に設けられた、少なくとも１つのレバーユニット（８）と、このレバーユニット（８）に強固に結合された、外側輪郭部（１０）を有する少なくとも１つのレバーアーム（９）とを備えており、および、
前記少なくとも１つのカム（４、５）が、少なくとも１つの前記レバーアーム（９）と、前記カムユニット（３）とレバーユニット（８）との間の軸線方向の整向によって、作用結合の状態にされ得、
その際、両方の前記外側輪郭部（６、１０）が、前記カム（４、５）およびレバーアーム（９）によって、作用結合の状態にされる様式の上記内燃機関のための弁駆動装置の位置調節軸操作装置において、
２つの作用結合が行われ、その際、
前記カムユニット（３）の上に、軸線方向および外周方向において、第１のカム（４）から離間された第２のカム（５）が、および、
前記レバーユニット（８）の上に、軸線方向および外周方向において、第１のレバーアーム（９Ａ）から離間された第２のレバーアーム（９Ｂ）が、
設けられており、その際、
第１の作用結合が、第１のカム（４）と第１のレバーアーム（９Ａ）によって、
第２の作用結合が、第２のカム（５）と第２のレバーアーム（９Ｂ）によって、
位置調節軸（７）の旋回の間に、時系列的に相前後して形成され得ることを特徴とする、内燃機関のための弁駆動装置の位置調節軸操作装置。
【請求項２】
第１および第２のレバーアーム（９Ａ、９Ｂ）の外側輪郭部（１０）は、
それぞれに設けられた第１および第２のカム（４、５）の外側輪郭部（６）に対して、
反対方向に上り勾配の外側輪郭部として形成されており、
その際、上り勾配の、および、反対方向に上り勾配の外側輪郭部（６、１０）が、長さおよび半径方向延在に関して、それぞれに、開始部半径、終端部半径、およびこれらの間に位置する角度領域によって画定されており、
その際、前記開始部半径と終端部半径との間の上り勾配が、一定であるか、または可変であることが可能であり、
従って、カムユニット（３）とレバーユニット（８）の一度の整向でもって、および、４８０度だけのカムシャフト（２）の旋回によって、前記位置調節軸（７）が９０度だけ回転可能である、
ことを特徴とする請求項１に記載の、内燃機関のための弁駆動装置の位置調節軸操作装置。
【請求項３】
８つのレバーアーム（９）が設けられており、
これらレバーアームでもって、第１、第２、第３、第４、第５、第６、第７、または第８の作用結合の状態が形成され得、および、
これらレバーアーム（９）が、位置調節軸（７）の如何なる継続する旋回も発生可能でないように設けられており、その際、
前記レバーユニット（８）に対する、カムユニット（３）の軸線方向の整向によって、
このカムユニット（３）の第１のカム（４）が、レバーユニット（８）の第１、第３、第５、または第７のレバーアーム（９Ａ、９Ｃ、９Ｅ、９Ｇ）との、もしくは、
このカムユニット（３）の第２のカム（５）が、第２、第４、第６、または第８のレバーアーム（９Ｂ、９Ｄ、９Ｆ、９Ｈ）との、
相応する第１、第２、第３、第４、第５、第６、第７、または第８の作用結合の状態とされることは可能であり、従って、
４つの軸線方向に離間された作用面（１１）が、それぞれ２つのレバーアーム（９）でもって形成され、
その際、これらレバーアーム（９）が、１つの作用面（１１）内において、外周方向において１８０度だけ、および、３つの更に別の作用面（１１）内の１つの作用面のこれらレバーアーム（９）に対して、外周方向において４５度だけ互い違いに位置ずれされて設けられている、
ことを特徴とする請求項１または２に記載の、内燃機関のための弁駆動装置の位置調節軸操作装置。
【請求項４】
位置調節軸（７）の旋回のために、
カムユニット（３）は、レバーユニット（８）と共に、互いに、
第１の整向状態にされ得、
第１の作用面（１１Ａ）が、第１のカム（４）および第１のレバーアーム（９Ａ）の第１の作用結合でもって、並びに、第２の作用面（１１Ｂ）が、第２のカム（５）および第２のレバーアーム（９Ｂ）の第２の作用結合でもって、もしくは、
この第１の作用面（１１Ａ）が、第１のカム（４）および第５のレバーアーム（９Ｅ）の第５の作用結合でもって、並びに、この第２の作用面（１１Ｂ）が、第２のカム（５）および第６のレバーアーム（９Ｆ）の第６の作用結合でもって形成するか、または、
第２の整向状態にされ得、
第３の作用面（１１Ｃ）が、第１のカム（４）および第３のレバーアーム（９Ｃ）の第３の作用結合でもって、並びに、第４の作用面（１１Ｄ）が、第２のカム（５）および第４のレバーアーム（９Ｄ）の第４の作用結合でもって、もしくは、
この第３の作用面（１１Ｃ）が、第１のカム（４）および第７のレバーアーム（９Ｇ）の第７の作用結合でもって、並びに、この第４の作用面（１１Ｄ）が、第２のカム（５）および第８のレバーアーム（９Ｈ）の第８の作用結合でもって形成する、
ことを特徴とする請求項１から３のいずれか一つに記載の、内燃機関のための弁駆動装置の位置調節軸操作装置。
【発明の詳細な説明】
【技術分野】
【０００１】
本発明は、内燃機関の昇降ストローク切替え可能な（ｈｕｂｓｃｈａｌｔｂａｒｅｒ）弁駆動装置の操作のための装置に関する。
【背景技術】
【０００２】
ガス給排気弁の昇降ストロークの切替えのための装置を備えている、弁駆動装置は公知である。
この発明は、１つの弁駆動装置を出発点としており、この弁駆動装置の場合、ガス給排気弁、特に内燃機関の吸気弁および排気弁が、カムシャフトを用いて、直接的または間接的に操作される。弁昇降ストロークの切替えのために、このカムシャフトの上に、隣接するカムは、異なるカム形状を有して設けられており、これらカムが、１つのカムユニットへと統合されている。
カムシャフトの上でのこれらカムユニットの軸線方向の位置移動によって、ガス給排気弁の昇降ストロークは、これらカムの輪郭に相応して変化される。これらカムユニットの位置移動のために、このカムシャフトに対して平行に延在する位置調節軸が、軸線方向に位置移動可能な構造部材、例えばカムユニットとの係合のための相応する要素を有して設けられている。この位置調節軸は、多数の軸支承部内において回転可能に、ケーシング内において、前記カムシャフトに対して平行に支承されている。
このケーシングとして、シリンダーヘッド、導体フレーム（Ｌｅｉｔｅｒｒａｈｍｅｎ）、位置調節軸を収容するためのモジュールまたはその他の装置が理解され得る。この位置調節軸の上に、少なくとも１つの位置調節装置が支承されており、この位置調節装置は、カムユニットに、ガス給排気弁の直接的または間接的な操作のために設けられている。
【０００３】
特許文献１内において、カムシャフトに対して平行に設けられた、旋回可能に位置調節軸が記載されており、
この位置調節軸の上に、回転不能に、２つの位置調節装置と、これら位置調節装置の間に、この位置調節軸の上で軸線方向に位置移動可能な、軸線方向にカムシャフトの上で位置移動可能なカムパッケージ（Ｎｏｃｋｅｎｐａｋｅｔ）の、２つの異なるカムプロフィルの間の弁切替えのための２つの連行体とが設けられている。
この位置調節軸の旋回によって、これら連行体は、この位置調節軸の上で、軸線方向に位置移動され、その際、この旋回が、カムシャフトによって行われる。
この目的のために、この位置調節軸の上に、１つの、回転不能な、しかしながら軸線方向に位置移動可能な歯車が設けられており、この歯車は、この位置調節軸の旋回のために、この位置調節軸の上に設けられた駆動装置によって、カムシャフトの上に設けられた歯付きセグメントとの係合状態にある。
【０００４】
特許文献２から、カムシャフトに対して平行に設けられた位置調節軸が公知であり、
この位置調節軸は、位置調節伝動装置を用いて、このカムシャフトと結合されており、従って、この位置調節軸が、このカムシャフトとの形成された作用結合の際に、このカムシャフトによって旋回され、このことによって、連行体、および切替スライディングブロックガイドを介して、異なるカムプロフィルを備えるカムパッケージが、このカムシャフトの上で軸線方向に位置移動可能である。
この位置調節軸とのカムシャフトの結合および切り離しのために、この特許文献２の発明に従う位置調節伝動装置は、単腕状または多腕状のレバーシステム、および成形されたスライディングブロックガイド部材から成っている。このレバーシステムは、強固に、前記位置調節軸の上に設けられている。
スライディングブロックガイド部材は、回転不能に、且つ、軸線方向に位置移動可能に、カムシャフトの上に設けられており、その際、このスライディングブロックガイド部材が、アクチュエータによって、切替え可能にこのレバーシステムと係合状態になることが可能であり、且つ切り離し可能である。
【０００５】
前記従来技術から公知の技術的な解決策の欠点は、高い構造空間必要量であり、この構造空間必要量が、位置調節軸の旋回のために必要とされる。
これら解決策は、従って、単に、相応して形成されたシリンダーヘッドキャップの場合、もしくは、相応する構造部材を格納可能とするために、十分に大きな回転構造空間の場合にだけ、この位置調節軸の領域内において組込み可能であるにすぎない。
【先行技術文献】
【特許文献】
【０００６】
【特許文献１】ドイツ連邦共和国特許ＤＥ１０  ２００８  ０６１  ４４０  Ｂ３
【特許文献２】ドイツ連邦共和国特許ＤＥ１０  ２００９  ０５７  ６９１  Ａ１
【発明の概要】
【発明が解決しようとする課題】
【０００７】
従って、本発明の課題は、内燃機関のガス給排気弁の昇降ストロークの切替えのための、弁駆動装置のための位置調節軸の操作のための装置を提供することにあり、その際、必要とされる回転構造空間および軸線方向構造空間が、この位置調節軸の領域内において低減されているべきである。
【課題を解決するための手段】
【０００８】
この課題は、請求項１の特徴に従う装置によって解決される。有利な更なる実施形態は、従属請求項および実施例から与えられる。
【発明の効果】
【０００９】
本発明は、１つの装置を提供し、この装置でもって、昇降ストローク切替え可能な弁駆動装置の位置調節軸が特に有利な方法で使用可能である。
この位置調節軸の本発明に従う操作装置は、この目的のために、少なくとも、前記位置調節軸の上のレバーユニット、および、カムシャフトの上のカムユニットから構成されている。このレバーユニットは、位置調節軸と回転不能に結合されており、または、カップリングを用いて、回転不能に位置調節軸と結合可能である。
このレバーユニットは、第１のレバーアーム、および、少なくとも１つの、更に別の、軸線方向に、および、外周方向において、即ち、角度位置をずらされて（ａｘｉａｌ  ｕｎｄ  ｉｎ  Ｕｍｆａｎｇｓｒｉｃｈｔｕｎｇ  ｂｅｚｉｅｈｕｎｇｓｗｅｉｓｅ  ｗｉｎｋｅｌｖｅｒｓｅｔｚｔ）この位置調節軸に対して相対的に離間されたレバーアームを備えている。このカムユニットは、カムシャフトと回転不能に結合されており、または、カップリングを用いて、回転不能にこのカムシャフトと結合可能である。
カムユニットの上に、少なくとも１つのカムが、１つの外側輪郭部を有して設けられている。軸線方向および角度位置をずらされて（ａｘｉａｌ  ｕｎｄ  ｗｉｎｋｅｌｖｅｒｓｅｔｚｔ）この位置調節軸の上に離間された、レバーアームのそれぞれは、カムユニットの少なくとも１つのカムと、作用結合の状態にされ得る。上記のことに応じて、この位置調節軸は、カムシャフトから、この位置調節軸の上のレバーユニットを用いて、および、カムシャフトの上のカムユニットを用いて旋回される。
【００１０】
この目的のために、位置調節軸の上でのカムユニット、および、カムシャフトの上でのカム要素の軸線方向の相互の位置移動は、昇降要素のレバーアームを、このカム要素のカムとの作用結合の状態にするために必要であり、その際、位置調節軸の上のレバーユニット、及び／または、カムシャフトの上のカムユニットが、軸線方向に位置移動可能に支承されている。
【００１１】
有利な１つの実施形態において、位置調節軸の上のレバーユニット、及び／または、カムシャフトの上のカムユニットは、軸線方向に位置移動可能に支承されており、且つ、
作用結合の相応する相手側部材が、その都度の軸の上で、軸線方向に位置移動不能に位置決めされている。選択的に、両方のユニットは、軸線方向の構造空間必要量を更に低減するために、同様に、互いに反対方向に位置移動され得る。
【００１２】
作用結合のために、レバーユニットの上のレバーアームと、カムユニットの上のカムとの間の接触が形成される。このレバーユニットの上で、少なくとも１つのレバーアームは、および、カムユニットの上で、少なくとも１つのカムが設けられている。
少なくとも１つのカムは、上り勾配の（ａｎｓｔｅｉｇｅｎｄｅ）外側輪郭部を備えている。この上り勾配の外側輪郭部は、軸に対して相対的な回転方向内における増大する回転角度でもっての、外側輪郭部の半径方向の間隔の増大によって定義される。
このことによって、上り勾配の外側輪郭部は、傾斜路の形状において、開始部半径、終端部半径、これらの間に位置する角度領域でもって形成されており、前記これらの間に位置する角度領域の内側で、外側輪郭部の半径は、開始部半径から終端部半径に至るまで増大されている。
【００１３】
位置調節軸の上のレバーユニットのレバーアームが、カムユニットのカムと作用結合の状態にされた場合、このレバーユニットの少なくとも１つのレバーアームと、このカムユニットの少なくとも１つのカムは、それぞれの外側輪郭部が接触状態にされるというやり方で、互いに支持し合う。
これらレバーアームおよびカムの外側輪郭部の間の接触は、摩擦接触もしくは滑り接触として、及び／または、転動接触もしくは転がり接触として形成され得、この接触の場合、これら外側輪郭部が、相互に、スリップ、及び／または押圧転動する。
【００１４】
少なくとも１つのレバーアームは、１つの外側輪郭部を備えており、この外側輪郭部が、適当な相手側輪郭部、または適当な装置として形成されている。
その際、摩擦接触もしくは滑り接触、または同様に、転動接触もしくは転がり接触は、この外側輪郭部に対して行われる。例えば、反対方向に上り勾配の、即ち回転方向に降下する、外側輪郭部、アール部または他の適宜の輪郭部、または、少なくとも１つのロール、ローラーまたは球体のような転がり体は、前記レバーにおいて、カムの外側輪郭部との接触のために使用可能である。
本発明に従い、有利には、この反対方向に上り勾配の外側輪郭部が形成される。
この反対方向に上り勾配の外側輪郭部は、軸に対して相対的な回転方向内における増大する回転角度に応じた、外側輪郭部の半径方向の間隔の低減によって定義される。このことによって、反対方向に上り勾配の外側輪郭部は、傾斜路の形状において、開始部半径、終端部半径、これらの間に位置する角度領域でもって形成されており、前記これらの間に位置する角度領域の内側で、外側輪郭部の半径は、開始部半径から終端部半径に至るまで低減されている。
【００１５】
少なくとも１つのレバーアームおよび少なくとも１つのカムの、相互の軸線方向の位置移動によって、および、カムシャフトおよび従ってカムユニットの旋回によって、このカムの外側輪郭部は、レバーアームの外側輪郭部と接触状態にされる。これら外側輪郭部が接触状態になる前に、位置調節軸は静止状態にあり、このことによって、これら外側輪郭部の間隔は、単に、カムユニットの少なくとも１つのカムの上の、外側輪郭部の旋回だけによって低減され得る。
この目的のために、少なくとも、前記カムユニットのカムの上で、上り勾配の外側輪郭部が設けられており、これら外側輪郭部の間隔がその範囲では低減され且つこれら外側輪郭部が接触領域内において、作用接触の状態にされるに至るまで、この外側輪郭部の半径は、カムシャフトの回転によって増大される。
【００１６】
回転運動の伝達は、カムシャフトとのカムユニットの回転不能な結合、および、位置調節軸とのレバーユニットの回転不能な結合によって行われる。接触状態にある外側輪郭部の作用結合によって、この回転運動は、相応する伝動機構（Ｕｅｂｅｒｓｅｔｚｕｎｇ）により、カムシャフトから位置調節軸へと伝達され、その際、これら両方の軸の回転方向が反対方向に指向される。
【００１７】
位置調節軸と共に、カムユニットのカムと作用結合の状態にされる、レバーユニットのレバーアームは、前記外側輪郭部が作用結合の状態にある間、その場合に回転運動を実施する。
カムの上、および、例示的に引き合いに出されたレバーアームの上での反対方向に上り勾配の外側輪郭部の上での、この実施形態、特に上り勾配の外側輪郭部の長さ及び／または上り勾配（増大）に相応して、このカムシャフトの旋回によって、位置調節軸は、所定の角度だけ旋回される。これら外側輪郭部の上り勾配は、その場合に、一定であるか、または可変であることが可能であり、その際、カムおよびレバーユニットの両方の外側輪郭部の上り勾配が、互いに調和されていなければならない。
【００１８】
本発明に従い、有利には、カムの上り勾配の外側輪郭部、および、レバーアームの反対方向に上り勾配の外側輪郭部は、長さ及び上り勾配に相応して、それぞれの作用結合の際に、カムシャフトの旋回が、予め設定された駆動角度、例えば２４０度だけ、および、位置調節軸の旋回が、予め設定された駆動角度、例えば４５度だけ達成されるように形成されている。
この目的のために、作用結合の開始から終わりまで、カムの上り勾配の外側輪郭部の接触領域内において、２４０度の角度領域が、および、反対方向に上り勾配の外側輪郭部の接触領域内において、４５度の角度領域が擦過される。駆動角度と位置調節角度との他の組み合わせによって、相応する適合が、弁駆動装置において、もしくは、内燃機関の作動方法において可能である。
【００１９】
切替え可能な弁駆動装置のために必要な、位置調節軸の、例えば９０度だけの旋回のために、２つの作用結合が必要である。従って、カムユニットの上に、少なくとも１つの、更に別の第２のカムが設けられており、この第２のカムは、軸線方向において、第１のカムから離間された状態で設けられている。
本発明に従い、有利には、これら両方のカムは、付加的に、外周方向において離間された状態で設けられている。類似して、この目的のために、少なくとも１つの、更に別の第２のレバーアームが、レバーユニットの上で設けられており、この第２のレバーアームは、軸線方向および外周方向において、第１のレバーアームから離間された状態で設けられている。本発明に従い、有利には、この第２のレバーアームは、外周方向において、第１のレバーアームに隣接している。
【００２０】
第１のカムと第１のレバーアームの第１の作用面と並んで、第２のカムと第２のレバーアームでもっての第２の作用面が形成され、これら第１および第２の作用面は、軸線方向に互いに離間されている。外周方向において第１のカム、もしくは第１のレバーアームに対して離間された第２のカム、もしくは第２のレバーアームによって、第２の作用結合が、第２のカムと第２のレバーアームとの間で、回転方向において、時系列的に第１のカムと第１のレバーアームの第１の作用結合の後に形成される。
レバーユニットに対する、カムユニットの軸線方向の整向（Ａｕｓｒｉｃｈｔｕｎｇ）の際に、同様に、第１のおよび第２の作用面が形成され、その際、それぞれの作用面の作用結合が、外周方向に互い違いに位置ずれされた外側輪郭部に相応して、時系列的に順々に形成される。従って、カムおよびレバーアームの多重配設によって、カムユニットとレバーユニットの一度の整向の際に、例えば４５度の２倍だけの位置調節軸の旋回は、それぞれの作用面のため、もしくはそれぞれの作用結合のために、即ち、総じて９０度だけ行われる。
【００２１】
内燃機関のための弁駆動装置の位置調節軸操作装置が与えられ、
この位置調節軸操作装置は、
カムシャフトの上に回転不能に設けられた、少なくとも１つのカムユニットと、
このカムユニットに強固に結合された、少なくとも１つのカムとを備えており、前記カムの上に、回転方向に上り勾配の外側輪郭部が形成されており、且つ、
位置調節軸の上に回転不能に設けられた、少なくとも１つのレバーユニットと、
このレバーユニットに強固に結合された、外側輪郭部を有する少なくとも１つのレバーアームとを備えており、
この外側輪郭部が、適当な相手側輪郭として、または適当な装置として、摩擦接触もしくは滑り接触として、及び／または、転動接触もしくは転がり接触のために形成されており、および、
前記少なくとも１つのカムが、少なくとも１つのレバーアームと、カムユニットとレバーユニットとの間の軸線方向の整向によって、作用結合の状態にされ得、
その際、カムおよびレバーアームの両方の外側輪郭部が、作用結合の状態にされる。
この位置調節軸操作装置のために、２つの作用結合が行われ、その際、
前記カムユニットの上に、軸線方向および外周方向において、第１のカムから離間された第２のカムが、および、
前記レバーユニットの上に、軸線方向および外周方向において、第１のレバーアームから離間された第２のレバーアームが、
設けられており、および、
第１の作用結合が、第１のカムと第１のレバーアームによって、
第２の作用結合が、第２のカムと第２のレバーアームによって、
位置調節軸の旋回の間に、時系列的に相前後して形成され得る。
【００２２】
本発明に従い、有利には、
レバーアームの外側輪郭部は、反対方向に上り勾配の外側輪郭部として形成されており、その際、上り勾配の、および、反対方向に上り勾配の外側輪郭部が、長さおよび半径方向延在に関して、それぞれに、開始部半径、終端部半径、およびこれらの間に位置する角度領域によって画定されており、
その際、前記開始部半径と終端部半径との間の上り勾配（増大）が、一定であるか、または可変であることが可能であり、
従って、カムユニットとレバーユニットの一度の整向でもって、および、４８０度だけのカムシャフトの旋回によって、前記位置調節軸が９０度だけ回転可能である。
少なくとも１つのカムは、カムユニットの上で、軸線方向および外周方向において、それぞれ更に別のカムから離間された状態で設けられている。
【００２３】
４つに互いに分割された、それぞれに９０度の旋回ステップ内における、３６０度だけの、位置調節軸の更に先へ行く完全な旋回のために、  −その際、それぞれの旋回ステップが別個に、且つシーケンシャルに発生され得る−  カムおよびレバーアームの前記配設（Ａｎｏｒｄｎｕｎｇ）は、相応して繰り返される。
この目的のために、更に別のレバーアームが設けられており、これらレバーアームでもって、第３、第４、第５、第６、第７、または第８の作用結合の状態が形成され得る。これらレバーアームは、位置調節軸の如何なる継続する旋回も発生可能でないように設けられている。
この目的のために、これらレバーアームは、１つの旋回ステップの後、如何なる更に別のレバーアームも複数のカム内の１つのカムと、作用結合の状態にされ得ないように、軸線方向に離間されている。
前記レバーユニットに対する、カムユニットの軸線方向の整向によって、
このカムユニットの第１のカムが、レバーユニットの第１、第３、第５、または第７のレバーアームとの、もしくは、
このカムユニットの第２のカムが、第２、第４、第６、または第８のレバーアームとの、
相応する第１、第２、第３、第４、第５、第６、第７、または第８の作用結合の状態とされることは可能である。従って、８つの作用面が与えられる。
この有利な、これらレバーアームの実施形態もしくは配設によって、それぞれに、カムユニットおよびレバーユニットのそれぞれの相互の整向のために、単に１つの旋回ステップだけが実施される。１つの更なる旋回ステップが実施されるべき場合、カムユニットおよびレバーユニットの、相互の新しい整向が必要である。
【００２４】
軸線方向の構造空間の節約のために、本発明に従い、有利には、この目的のために、レバーユニットの上のレバーアームは、４つの軸線方向に離間された作用面が、それぞれ２つのレバーアームでもって形成され、その際、これらレバーアームが、１つの作用面内において、外周方向において１８０度だけ互い違いに位置ずれされて設けられているように位置決めされている。
【００２５】
前記のことによって、例えば、位置調節軸の旋回のための切替えステップが与えられ、
この切替えステップの場合、
第１のカムと第２のカムでもってのカムユニットと、および、第１のレバーアームと第２のレバーアームでもってのレバーユニットとの、相互の第１の整向状態は、
第１の作用面を、第１のカムと第１のレバーアームの第１の作用結合でもって、並びに、
第２の作用面を、第２のカムおよび第２のレバーアームの第２の作用結合でもって、形成する。
カムシャフトの旋回によって、先ず第一に、第１のカムと第１のレバーアームの第１の作用結合が、および時系列的にそれに引き続いて、第２のカムおよび第２のレバーアームの第２の作用結合が形成される。
このことによって、位置調節軸は、例えば９０度だけ旋回される。その場合に、如何なる更に別のレバーアームも、複数のカムの内の１つのカムとの作用結合の状態にされ得ないので、この位置調節軸は止まっている。
【００２６】
位置調節軸の更なる旋回のために、
第１のカムと第２のカムでもってのカムユニットと、および、第３のレバーアームと第４のレバーアームでもってのレバーユニットとの、相互の第２の整向状態は、
第３の作用面を、第１のカムと第３のレバーアームの第３の作用結合でもって、並びに、
第４の作用面を、第２のカムおよび第４のレバーアームの第４の作用結合でもって、形成する。
カムシャフトの旋回によって、先ず第一に、第１のカムと第３のレバーアームの第３の作用結合が、および時系列的にそれに引き続いて、第２のカムおよび第４のレバーアームの第４の作用結合が形成される。その場合に、他方また、如何なる更に別のレバーアームも、複数のカムの内の１つのカムとの作用結合の状態にされ得ないので、この位置調節軸は止まっている。
【００２７】
位置調節軸の更なる旋回のために、他方また、
第１のカムと第２のカムでもってのカムユニットと、および、第５のレバーアームと第６のレバーアームでもってのレバーユニットとの、相互の第１の整向状態は、
第１の作用面を、第１のカムと第５のレバーアームの第５の作用結合でもって、並びに、
第２の作用面を、第２のカムおよび第６のレバーアームの第６の作用結合でもって、形成する。
カムシャフトの旋回によって、先ず第一に、第１のカムと第５のレバーアームの第５の作用結合が、および時系列的にそれに引き続いて、第２のカムおよび第６のレバーアームの第６の作用結合が形成される。その場合に、他方また、如何なる更に別のレバーアームも、複数のカムの内の１つのカムとの作用結合の状態にされ得ないので、この位置調節軸は止まっている。
【００２８】
位置調節軸の更なる旋回のために、他方また、
第１のカムと第２のカムでもってのカムユニットと、および、第７のレバーアームと第８のレバーアームでもってのレバーユニットとの、相互の第２の整向状態は、
第３の作用面を、第１のカムと第７のレバーアームの第７の作用結合でもって、並びに、
第４の作用面を、第２のカムおよび第８のレバーアームの第８の作用結合でもって、形成する。
カムシャフトの旋回によって、先ず第一に、第１のカムと第７のレバーアームの第７の作用結合が、および時系列的にそれに引き続いて、第２のカムおよび第８のレバーアームの第８の作用結合が形成される。その場合に、他方また、如何なる更に別のレバーアームも、複数のカムの内の１つのカムとの作用結合の状態にされ得ないので、この位置調節軸は止まっており、その際、この位置調節軸が、例示的な切替えステップのために、その場合に、１つの完全な回転を実施する。
【００２９】
相互の、第１の整向状態と第２の整向状態との間の、カムユニットおよびレバーユニット交番する整向によって、位置調節軸は、それぞれに１つの旋回ステップだけ、更に旋回され得る。
【００３０】
カムユニット３およびレバーユニット８の整向方向への、相互の軸線方向の位置移動は、
異なる構成によって行われ得る。
本発明に従う有利な方法において、この切替えは、位置移動されるべきユニットの上の切替えスライディングブロックガイド、および、少なくとも１つのピンによって行われ、このピンが、アクチュエータを介して、切替えスライディングブロックガイド１２内へと進入されている。
このピンは、ハウジングに固定して位置決めされており、且つ、切替えスライディングブロックガイドの軸線方向の昇降によって、位置移動されるべきユニット、即ちカムユニット及び／またはレバーユニットの軸線方向の位置移動を生じさせる。
選択的に、例えば同様に、軸線方向の位置移動を可能にする、マグネット切替え装置も使用可能である。軸線方向の位置移動のための、前記マグネット切替え装置、および更に別の公知の機構は、カムユニット、及び／またはレバーユニットにおいて設けられ得る。
【００３１】
本発明に従う解決策の利点は、僅かの手間暇および僅かの必要な構造空間において、位置調節軸の確実な旋回、および従って、確実な弁昇降ストローク切替えが行われることにある。本発明の個別の特徴は、新しい有効な組み合わせへと統合可能である。
【００３２】
例示的に、ここで、本発明に従う装置の１つの実施形態が図示され、以下で、これら図を参照して本発明の実施の形態を詳しく説明する。
【図面の簡単な説明】
【００３３】
【図１】第１の整向の状態のあいだの、位置調節軸操作装置の概略図である。
【図２】第２の整向の状態のあいだの、位置調節軸操作装置の概略図である。
【発明を実施するための形態】
【００３４】
内燃機関（図示されていない）のための弁駆動装置の位置調節軸操作装置１は、
カムシャフト２の上に回転不能に設けられたカムユニット３と、
軸線方向に、および、外周方向において、即ち、角度位置をずらされて（ａｘｉａｌ  ｕｎｄ  ｉｎ  Ｕｍｆａｎｇｓｒｉｃｈｔｕｎｇ  ｗｉｎｋｅｌｖｅｒｓｅｔｚｔｅｎ）、並びにこのカムユニットに強固に結合された、２つのカム４、５とを備えており、これらカムの上に、それぞれ１つの、上り勾配の外側輪郭部６が形成されている。
この位置調節軸操作装置１は、更に、１つの、位置調節軸７の上に回転不能に設けられた、外周方向に互い違いに角度位置ずれされ（ｉｎ  Ｕｍｆａｎｇｓｒｉｃｈｔｕｎｇ  ｗｉｎｋｅｌｖｅｒｓｅｔｚｔｅｎ）且つこのレバーユニットと強固に結合された８つのレバーアーム９を有する、レバーユニット８を備えており、
これらレバーアームの上に、それぞれ１つの、反対方向に上り勾配の（ｅｎｔｇｅｇｅｎｇｅｓｅｔｚｔ  ａｎｓｔｅｉｇｅｎｄｅ）外側輪郭部１０が形成されている（図１、図２を参照）。
このレバーユニット８に対する、カムユニット３の軸線方向の整向によって、
このカムユニット３の第１のカム４が、レバーユニット８の第１、第３、第５、または第７のレバーアーム９Ａ、９Ｃ、９Ｅ、９Ｇとの、もしくは、
このカムユニット３の第２のカム５が、第２、第４、第６、または第８のレバーアーム９Ｂ、９Ｄ、９Ｆ、９Ｈとの、
相応する第１、第２、第３、第４、第５、第６、第７、または第８の作用結合の状態とされることは可能であり、
従って、４つの軸線方向に離間された作用面１１が、それぞれ２つのレバーアーム９でもって形成され、その際、これらレバーアーム９が、１つの作用面１１内において、外周方向において１８０度だけ、および、３つの更に別の作用面１１内の１つの作用面１１のこれらレバーアーム９に対して、外周方向において４５度だけ、互い違いに位置ずれされて設けられている。
【００３５】
カムユニット３およびレバーユニット８の整向方向への、相互の軸線方向の位置移動は、
カムユニット３の上の切替えスライディングブロックガイド１２、および、
２つのピン１３、１４によって実現され、その際、
これらピン１３、１４が、アクチュエータを介して、その都度の整向方向のために、
交番する状態で、切替えスライディングブロックガイド１２内へと進入されている。
これらピン１３、１４は、ハウジングに固定して位置決めされており、且つ、
切替えスライディングブロックガイド１２の軸線方向の昇降によって、
カムユニット３の軸線方向の位置移動を、レバーユニット８に対して生じさせ、従って、
第１の整向状態（図１）において、
第１の作用面１１Ａが、第１のカム４および第１のレバーアーム９Ａでもって、並びに、第２の作用面１１Ｂが、第２のカム５および第２のレバーアーム９Ｂでもって、もしくは、
この第１の作用面１１Ａが、第１のカム４および第５のレバーアーム９Ｅでもって、並びに、この第２の作用面１１Ｂが、第２のカム５および第６のレバーアーム９Ｆでもって形成し、または、
第２の整向状態（図２）において、
第３の作用面１１Ｃが、第１のカム４および第３のレバーアーム９Ｃでもって、並びに、第４の作用面１１Ｄが、第２のカム５および第４のレバーアーム９Ｄでもって、もしくは、
この第３の作用面１１Ｃが、第１のカム４および第７のレバーアーム９Ｇでもって、並びに、この第４の作用面１１Ｄが、第２のカム５および第８のレバーアーム９Ｈでもって形成する。
【符号の説明】
【００３６】
１      位置調節軸操作装置
２      カムシャフト
３      カムユニット
４      第１のカム
５      第２のカム
６      上り勾配の外側輪郭部
７      位置調節軸
８      レバーユニット
９、９Ａ、９Ｂ、９Ｃ、９Ｄ、９Ｅ、９Ｆ、９Ｇ、９Ｈ    レバーアーム、  第１のレバーアーム、第２のレバーアーム、第３のレバーアーム、第４のレバーアーム、第５のレバーアーム、第６のレバーアーム、第７のレバーアーム、または第８のレバーアーム
１０    反対方向に上り勾配の外側輪郭部
１１、１１Ａ、１１Ｂ、１１Ｃ、１１Ｄ    作用面、  第１の作用面、第２の作用面、第３の作用面、第４の作用面
１２    切替えスライディングブロックガイド
１３、１４  ピン
【図１】
2015021459.tif 000003
【図２】
2015021459.tif 000004